(57)【要約】【課題】ドア枠の製造工場で発生する廃材を有効利用して極めて安価に製作する。ドア枠を簡単かつ容易に、しかも極めて能率よく積層して輸送する。【解決手段】ドア枠の梱包材は、ドア枠２の外周面に脱着できるように固定される板材５と、この板材５に固定されて、積層されるドア枠２の間に配設される角材６とを備える。板材５は、一方の側縁を第１側縁５Ａ、他方の側縁を第２側縁５Ｂとしており、第１側縁５Ａに沿って角材６を固定している。板材５は、ドア枠２の横幅よりも幅広で、第１側縁５Ａと第２側縁５Ｂをドア枠２の外周面から突出させるようにドア枠２に固定している。角材６は、板材５の第１側縁５Ａで構成される積層面７を厚くして、積層させる板材５の第２側縁５Ｂを嵌入できる切欠部７Ａを設けている。この梱包材１は、板材５の第２側縁５Ｂを積層面７に設けている切欠部７Ａに嵌入して、ドア枠２を位置ずれしないように積層する。【選択図】図６
2005059884.tif 000002
【特許請求の範囲】
【請求項１】
ドア枠(2)の外周面に脱着できるように固定されて、一方の側縁を第１側縁(5A)、他方の側縁を第２側縁(5B)としている板材(5)と、この板材(5)の表面であって第１側縁(5A)に沿って固定されて、積層されるドア枠(2)の間に配設される角材(6)とを備えており、
板材(5)はドア枠(2)の横幅よりも幅広で、第１側縁(5A)と第２側縁(5B)をドア枠(2)の外周面から突出して脱着できるように外周面に固定され、
角材(6)は積層されるドア枠(2)の間に位置するように板材(5)の表面に固定されて、板材(5)の第１側縁(5A)で構成される積層面(7)を厚くすると共に、この積層面(7)には、積層させる板材(5)の第２側縁(5B)を嵌入できる切欠部(7A)を設けており、
角材(6)が積層されるドア枠(2)の間に位置するように、板材(5)をドア枠(2)の外周面に脱着できる状態で固定し、板材(5)の第２側縁(5B)を積層面(7)に設けている切欠部(7A)に嵌入して、ドア枠(2)を位置ずれしないように積層するドア枠の梱包材。
【請求項２】
一方の梱包材の板材(5)の第２側縁(5B)を、積層している梱包材の積層面(7)の切欠部(7A)に嵌入する状態で、角材(6)をドア枠(2)に接触させないように、板材(5)の第２側縁(5B)が突出している請求項１に記載されるドア枠の梱包材。
【請求項３】
縦方向に延びる凸条(9)を中央部分に設けているドア枠(2)の外周面に脱着できるように固定されて、一方の側縁を第１側縁(5A)、他方の側縁を第２側縁(5B)としている板材(5)と、この板材(5)の表面であって第１側縁(5A)と第２側縁(5B)に沿って固定されて、外周面の凸条(9)の両側に配設される第１角材(6A)及び第２角材(6B)を備えており、
板材(5)はドア枠(2)の外周面に設けている凸条(9)の横幅よりも幅広で、第１側縁(5A)と第２側縁(5B)をドア枠(2)外周面の凸条(9)から突出して脱着できるように外周面の凸条(9)に固定され、
第１角材(6A)と第２角材(6B)は積層されるドア枠(2)の凸条(9)の両側に位置するように板材(5)の表面に固定されると共に、ドア枠(2)を積層する状態で、互いに積層されるドア枠(2)に固定される第１角材(6A)と第２角材(6B)の積層面(7)が互いに位置ずれしない嵌合構造で積層されると共に、第１角材(6A)と第２角材(6B)の積層面(7)を互いに積層する状態で、積層するドア枠(2)及びドア枠(2)に設けているドア(3)が互いに接触しないように第１角材(6A)と第２角材(6B)を太くしているドア枠の梱包材。
【請求項４】
板材(5)の厚さが８〜２５ｍｍで、切欠部(7A)の深さが２〜２０ｍｍである請求項１に記載されるドア枠の梱包材。
【請求項５】
板材(5)の長さが１００〜１５００ｍｍである請求項１に記載されるドア枠の梱包材。
【請求項６】
板材(5)がネジ止してドア枠(2)の外周面に脱着できるように固定される請求項１に記載されるドア枠の梱包材。
【請求項７】
第１角材(6A)と第２側縁(5B)の積層面(7)が、互いに嵌着できる段差形状である請求項３に記載されるドア枠の梱包材。
【請求項８】
ドア枠(2)の外周面に脱着できるように固定されて、一方の側縁を第１側縁(5A)、他方の側縁を第２側縁(5B)としている板材(5)と、この板材(5)の表面であって第１側縁(5A)に沿って固定されて、積層されるドア枠(2)の間に配設される角材(6)とを備える梱包材(1)を介してドア枠(2)を積層する梱包構造であって、
梱包材(1)の板材(5)は、ドア枠(2)の横幅よりも幅広で、第１側縁(5A)と第２側縁(5B)をドア枠(2)の外周面から突出して脱着できるように外周面に固定され、
梱包材(1)の角材(6)は積層されるドア枠(2)の間に位置するように板材(5)の表面に固定されて、板材(5)の第１側縁(5A)で構成される積層面(7)を厚くすると共に、この積層面(7)には、積層させる板材(5)の第２側縁(5B)を嵌入できる切欠部(7A)を設けており、
角材(6)が積層されるドア枠(2)の間に位置するように、梱包材(1)の板材(5)をドア枠(2)の外周面に脱着できる状態で固定し、板材(5)の第２側縁(5B)を積層面(7)に設けている切欠部(7A)に嵌入して、ドア枠(2)を梱包材(1)を介して位置ずれしないように積層するドア枠の梱包構造。
【請求項９】
一方の梱包材(1)の板材(5)の第２側縁(5B)を、積層している梱包材(1)の積層面(7)の切欠部(7A)に嵌入する状態で、角材(6)をドア枠(2)に接触させないように、板材(5)の第２側縁(5B)を突出している梱包材(1)を介してドア枠(2)を積層する請求項８に記載されるドア枠の梱包構造。
【請求項１０】
縦方向に延びる凸条(9)を中央部分に設けているドア枠(2)の外周面に脱着できるように固定されて、一方の側縁を第１側縁(5A)、他方の側縁を第２側縁(5B)としている板材(5)と、この板材(5)の表面であって第１側縁(5A)と第２側縁(5B)に沿って固定されて、外周面の凸条(9)の両側に配設される第１角材(6A)及び第２角材(6B)を備える梱包材(1)を介してドア枠(2)を積層する梱包構造であって、
梱包材(1)の板材(5)はドア枠(2)の外周面に設けている凸条(9)の横幅よりも幅広で、第１側縁(5A)と第２側縁(5B)をドア枠(2)外周面の凸条(9)から突出して脱着できるように外周面の凸条(9)に固定され、
第１角材(6A)と第２角材(6B)は積層されるドア枠(2)の凸条(9)の両側に位置するように板材(5)の表面に固定されると共に、ドア枠(2)を積層する状態で、互いに積層されるドア枠(2)に固定される第１角材(6A)と第２角材(6B)の積層面(7)が互いに位置ずれしない嵌合構造で積層されると共に、第１角材(6A)と第２角材(6B)の積層面(7)を互いに接を積層する状態で、積層するドア枠(2)及びドア枠(2)に設けているドア(3)が互いに接触しないように第１角材(6A)と第２角材(6B)を太くしている梱包材(1)を使用するドア枠の梱包構造。
【請求項１１】
ドア枠(2)の片側に２〜１０個の梱包材(1)を装置して、ドア枠(2)を積層する請求項８又は１０に記載されるドア枠の梱包構造。
【請求項１２】
角材(6)が上方に位置するように板材(5)をドア枠(2)に固定して積層する請求項８に記載されるドア枠の梱包構造。
【発明の詳細な説明】
【技術分野】
【０００１】
本発明は、工場で製造されたドア枠を、傷がつかないように梱包して現場に移送する梱包材と、この梱包材を使用する梱包構造に関する。
【背景技術】
【０００２】
現在、ドアは、図１と図２に示すように段ボール２１で両側をカバーするように梱包して、工場から現場に移送している。段ボール２１は、ドア枠２の両側に沿ってコ字状に折曲加工している。段ボール２１とドア枠２との間には、緩衝材として発泡スチロール２２を挟着している。両側の段ボール２１が外れないように、所定の間隔でダイバンド２３で結束している。
【０００３】
この構造の梱包材は、ひとつのドア枠を梱包するのに相当に手間がかかる欠点がある。また、梱包材の製造コストも高く、ひとつのドア枠を梱包するのに要するコストが極めて高くなる欠点がある。また、現場にあっては、梱包材である段ボールと発泡スチロールを廃棄するのにさらに手間と費用がかかる欠点がある。
【０００４】
このような欠点を解消することを目的として、改良された梱包材が開発されている。（特許文献１及び２参照）
【特許文献１】特開平６−１３５４５３号公報
【特許文献２】特開２００２−３７０７６６号公報
【０００５】
特許文献１に記載される梱包材は、図３の断面図に示すように、ドア枠２の幅（Ｈ2）よりも狭幅（Ｈ1）で、ドア枠２の外側面にドア枠２が両側にはみ出るように設けられた下地枠２４をドア枠２に固定しているドア部材を重ねて梱包するのに使用される、略Ｔ字状構成体のスペーサー２５である。略Ｔ字状構成体のスペーサー２５は、隣接するドア枠２に固定している下地枠２４間に介在して、隣接するドア枠２を離間させる支持用基部２６と、この支持用基部２６の中心部から離間部内にドア枠２と接触せずに突出し、かつドア枠２を越えたところで支持用基部２と略平行に若干突出する脱落防止用爪部２８を有する腕部２７とを備える。
【０００６】
この構造の梱包材は、図３の断面図に示すように、ドア枠２の間に嵌着されて、ドア枠２をずれないように多段に積層する。積層されたドア枠２は、全体を結束してトラックに載せて現場に輸送できる。
【０００７】
特許文献２の公報には、図４の斜視図に示すように、矩形のドア枠２の上下面を挟むように設けた上突出部３１と下突出部３２、及びこれら上下突出部を連結する連結部３３とから成る略コ字形のスペーサー３０である梱包材が記載される。上突出部３１はドア枠２に取り付けられたヒンジ部３４に匹敵する高さとし、下突出部３２には複数のドア枠２を順次積層した場合、上下に隣接するスペーサー３０の上突出部３１と係合して位置ずれを防止する係合部３５を設けた構造としている。
【０００８】
この公報に記載される梱包材は、図５に示すように、積層されるドア枠２の側部に嵌着される。梱包材を嵌着したドア枠２は、互いに積層されるが、積層状態で上下の梱包材に設けている下突出部３２と上突出部３１は、互いに係合して位置ずれが防止される。
【発明の開示】
【発明が解決しようとする課題】
【０００９】
しかしながら、これ等の公報に記載される梱包材は、形状が複雑で製造コストが高くなる欠点がある。また、梱包材をドア枠の間にセットし、あるいはドア枠にセットしながらドア枠を積層するので、ドア枠を能率よく簡単に積層できない。それは、ドア枠を積層するときに、梱包材を特定に位置にセットするからである。とくに、特許文献２に記載される梱包材は、上下の突出部の凸部と凹部を互いに嵌合させるために、ドア枠の正確な位置にセットする必要があり、簡単かつ容易に、しかも能率よくドア枠を積層するのが難しい欠点がある。
【００１０】
さらにまた、これ等の公報に記載される梱包材は、独特の複雑な形状をしているので、ドア枠の製造工場で発生する廃材を有効利用しては製作できない。このため、梱包材の製造コストを低減することが難しい。梱包材は、ドア枠が現場に搬送された後は、ほとんど例外なく廃棄される。このことから、梱包材はいかに安価に製作できるかが大切である。
【００１１】
本発明は、梱包材に要求される大切な特性を満足することを目的に開発されたものである。本発明の重要な目的は、ドア枠の製造工場で発生する廃材を有効利用して極めて安価に製作できると共に、ドア枠を簡単かつ容易に、しかも極めて能率よく積層して輸送できるドア枠の梱包材とこの梱包材を使用する梱包構造を提供することにある。
また、本発明の他の大切な目的は、ドア枠を簡単に積層しながら、積層状態と積層状態を解除した両方の状態で、ドア枠の仕上げ面が梱包材に接触しないようにして、ドア枠の損傷を確実に阻止できるドア枠の梱包材とこの梱包材を使用する梱包構造を提供することにある。
【課題を解決するための手段】
【００１２】
本発明のドア枠の梱包材は、ドア枠２の外周面に脱着できるように固定されて、一方の側縁を第１側縁５Ａ、他方の側縁を第２側縁５Ｂとしている板材５と、この板材５の表面であって第１側縁５Ａに沿って固定されて、積層されるドア枠２の間に配設される角材６とを備える。板材５は、ドア枠２の横幅よりも幅広で、第１側縁５Ａと第２側縁５Ｂをドア枠２の外周面から突出して脱着できるように外周面に固定される。角材６は、積層されるドア枠２の間に位置するように板材５の表面に固定されて、板材５の第１側縁５Ａで構成される積層面７を厚くすると共に、この積層面７には、積層させる板材５の第２側縁５Ｂを嵌入できる切欠部７Ａを設けている。この梱包材１は、角材６が積層されるドア枠２の間に位置するように、板材５をドア枠２の外周面に脱着できる状態で固定し、板材５の第２側縁５Ｂを積層面７に設けている切欠部７Ａに嵌入して、ドア枠２を位置ずれしないように積層する。
【００１３】
本発明の梱包材は、一方の梱包材の板材５の第２側縁５Ｂを、積層している梱包材の積層面７の切欠部７Ａに嵌入する状態で、角材６をドア枠２に接触させないように、板材５の第２側縁５Ｂを突出させることができる。
【００１４】
さらに、本発明の請求項３のドア枠の梱包材は、縦方向に延びる凸条９を中央部分に設けているドア枠２の外周面に脱着できるように固定されて、一方の側縁を第１側縁５Ａ、他方の側縁を第２側縁５Ｂとしている板材５と、この板材５の表面であって第１側縁５Ａと第２側縁５Ｂに沿って固定されて、外周面の凸条９の両側に配設される第１角材６Ａ及び第２角材６Ｂを備える。板材５は、ドア枠２の外周面に設けている凸条９の横幅よりも幅広で、第１側縁５Ａと第２側縁５Ｂをドア枠２外周面の凸条９から突出して脱着できるように外周面の凸条９に固定している。第１角材６Ａと第２角材６Ｂは、積層されるドア枠２の凸条９の両側に位置するように板材５の表面に固定すると共に、ドア枠２を積層する状態で、互いに積層されるドア枠２に固定される第１角材６Ａと第２角材６Ｂの積層面７が互いに位置ずれしない嵌合構造で積層している。この梱包材は、第１角材６Ａと第２角材６Ｂの積層面７を互いに積層する状態で、積層するドア枠２及びドア枠２に設けているドア３が互いに接触しないように第１角材６Ａと第２角材６Ｂを太くしている。
【００１５】
本発明の梱包材は、板材５の厚さを８〜２５ｍｍとして、切欠部７Ａの深さを２〜２０ｍｍとすることができる。さらに、本発明の梱包材は、板材５の長さを１００〜１５００ｍｍとすることができる。さらに、本発明の梱包材は、板材５をネジ止してドア枠２の外周面に脱着できるように固定することができる。さらにまた、本発明の梱包材は、第１角材６Ａと第２側縁５Ｂの積層面７を、互いに嵌着できる段差形状とすることができる。
【００１６】
本発明の請求項８のドア枠の梱包構造は、ドア枠２の外周面に脱着できるように固定して、一方の側縁を第１側縁５Ａ、他方の側縁を第２側縁５Ｂとしている板材５と、この板材５の表面であって第１側縁５Ａに沿って固定して、積層されるドア枠２の間に配設される角材６とを備える梱包材１を介してドア枠２を積層する梱包構造である。梱包材１の板材５は、ドア枠２の横幅よりも幅広で、第１側縁５Ａと第２側縁５Ｂをドア枠２の外周面から突出して脱着できるように外周面に固定している。梱包材１の角材６は、積層されるドア枠２の間に位置するように板材５の表面に固定して、板材５の第１側縁５Ａで構成される積層面７を厚くすると共に、この積層面７には、積層させる板材５の第２側縁５Ｂを嵌入できる切欠部７Ａを設けている。この梱包構造は、角材６が積層されるドア枠２の間に位置するように、梱包材１の板材５をドア枠２の外周面に脱着できる状態で固定し、板材５の第２側縁５Ｂを積層面７に設けている切欠部７Ａに嵌入して、ドア枠２を梱包材１を介して位置ずれしないように積層する。
【００１７】
本発明の梱包構造は、一方の梱包材１の板材５の第２側縁５Ｂを、積層している梱包材１の積層面７の切欠部７Ａに嵌入する状態で、角材６をドア枠２に接触させないように、板材５の第２側縁５Ｂを突出している梱包材１を介してドア枠２を積層することができる。
【００１８】
さらに、本発明の請求項１０の梱包構造は、縦方向に延びる凸条９を中央部分に設けているドア枠２の外周面に脱着できるように固定して、一方の側縁を第１側縁５Ａ、他方の側縁を第２側縁５Ｂとしている板材５と、この板材５の表面であって第１側縁５Ａと第２側縁５Ｂに沿って固定して、外周面の凸条９の両側に配設される第１角材６Ａ及び第２角材６Ｂを備える梱包材１を介してドア枠２を積層する梱包構造である。梱包材１の板材５は、ドア枠２の外周面に設けている凸条９の横幅よりも幅広で、第１側縁５Ａと第２側縁５Ｂをドア枠２外周面の凸条９から突出して脱着できるように外周面の凸条９に固定している。第１角材６Ａと第２角材６Ｂは、積層されるドア枠２の凸条９の両側に位置するように板材５の表面に固定すると共に、ドア枠２を積層する状態で、互いに積層されるドア枠２に固定される第１角材６Ａと第２角材６Ｂの積層面７が互いに位置ずれしない嵌合構造で積層している。さらに、梱包構造は、第１角材６Ａと第２角材６Ｂの積層面７を互いに積層する状態で、積層するドア枠２及びドア枠２に設けているドア３が互いに接触しないように第１角材６Ａと第２角材６Ｂを太くしている梱包材１を使用している。
【００１９】
本発明の梱包構造は、ドア枠２の片側に２〜１０個の梱包材１を装置して、ドア枠２を積層することができる。さらに、本発明の梱包材は、角材６が上方に位置するように板材５をドア枠２に固定して積層することができる。
【発明の効果】
【００２０】
本発明の梱包材は、ドア枠の製造工場で発生する廃材を有効利用して極めて安価に製作できる特長がある。それは、本発明が、板材と角材とを組み合わせてなる梱包材を使用しているからである。ドアの製造工程では、多数の板材や角材が廃材として発生するが、本発明は、これ等の廃材を有効に利用して梱包材として使用するので、廃材を廃棄する費用を削減できると共に、梱包材の原料コストを著しく低減できる。
【００２１】
さらに、本発明では、簡単かつ容易に、しかも極めて能率よく複数のドア枠を積層して輸送できる特長がある。それは、本発明の請求項１の梱包材と請求項８の梱包構造が、ドア枠の横幅よりも幅広な板材の第１側縁に沿って角材を固定すると共に、この角材を積層されるドア枠の間に位置するように板材をドア枠に固定し、さらに、板材の第１側縁で構成される積層面に切欠部を設けて、この切欠部に、積層されるドア枠に固定している板材の第２側縁を嵌入してドア枠を位置ずれしないように積層するからである。この状態で積層されるドア枠は、板材の第２側縁が切欠部に嵌入されて、位置ずれが防止される。したがって、積層されたドア枠を、荷崩れしないで現場に輸送できる。
【００２２】
また、本発明の請求項３の梱包材と請求項１０の梱包構造は、ドア枠の凸条に固定される板材の両側縁に沿って第１角材と第２角材を固定すると共に、ドア枠を積層する状態で互いに積層されるドア枠に固定された第１角材と第２角材の積層面が互いに位置ずれしないように嵌合構造で積層するようにしている。したがって、この梱包材と梱包構造も、ドア枠を積層する状態で、積層面を互いに嵌合させて位置ずれを防止でき、積層されたドア枠を荷崩れしないで現場に輸送できる。
【００２３】
さらに、本発明の請求項３の梱包材と請求項１０の梱包構造は、梱包材をドア枠の外周面の凸条に固定すると共に、この凸条の両側に配設される第１角材と第２角材とを、積層されるドア枠やドアが互いに接触しないように太くしているので、ドア枠を簡単に積層しながら、積層状態と積層状態を解除した両方の状態で、ドア枠の仕上げ面が梱包材に接触しないようにして、ドア枠の損傷を確実に阻止できる特長がある。
【発明を実施するための最良の形態】
【００２４】
以下、本発明の実施例を図面に基づいて説明する。ただし、以下に示す実施例は、本発明の技術思想を具体化するためのドア枠の梱包材とこの梱包構造を例示するものであって、本発明は梱包材と梱包構造を以下のものに特定しない。
【００２５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２６】
図６ないし図９は、梱包材１を使用して、ドア枠２を積層して梱包する状態を示す。図６と図７は、ドア枠２の片側に２個、両側で４個の梱包材１を固定している。梱包材１は、互いに積層されて、これを固定しているドア枠２を損傷しないように積層する。梱包材１は、図に示すように、ドア枠２に脱着できるように固定されて、ドア枠２を積層する。本発明は、ドア枠２を製造工場から現場に積層して輸送するもので、ドア枠２に蝶番４を介してドア３を連結したものと、ドアを連結しないものとがある。ドア３を連結しているドア枠２は、ドア３とドア枠２の両方の損傷を防止して現場まで輸送する。
【００２７】
図の梱包材１は、ドア枠２の外周面に脱着できるように固定されて、一方の側縁を第１側縁５Ａ、他方の側縁を第２側縁５Ｂとしている板材５と、この板材５の表面であって第１側縁５Ａに沿って固定されて、積層されるドア枠２の間に配設される角材６とを備える。
【００２８】
板材５と角材６は、ドア３やドア枠２を製造する工場で発生する廃材を有効利用して製作できる。ドアの製造工程では、多数の板材や角材が廃材として発生する。これ等の廃材を有効に利用して梱包材として使用すると、廃材を廃棄する費用を削減できると共に、板材５や角材６の原料コストを著しく低減できる。
【００２９】
板材５は、図８と図９に示すように、ドア枠２の横幅よりも幅が広い。この板材５は、第１側縁５Ａと第２側縁５Ｂをドア枠２の外周面から突出して、脱着できるように外周面に固定される。第１側縁５Ａを外周面から突出させるのは、ドア枠２の間に配設される角材６を固定するためである。第２側縁５Ｂを外周面から突出させるのは、上段に積層されるドア枠２が、下段に積層されるドア枠２に固定される梱包材１の角材６に接触しないようにするためである。板材５の長さは、１００〜２０００ｍｍである。長さを１００〜３００ｍｍとする短い板材５の梱包材１は、図６と図７に示すように、ドア枠２の片側に複数セットされる。長さを１０００ｍｍ以上とする長い板材の梱包材は、図示しないが、ドア枠の片側に１個をセットして、ドア枠を積層できる。板材５は、厚さを８〜２５ｍｍとする合板が最適である。
【００３０】
角材６は、積層されるドア枠２の間に位置するように、板材５の表面に固定されて、板材５の第１側縁５Ａで構成される積層面７を厚くする。角材６は、ネジ止めして板材５に固定され、あるいは接着して板材５に固定される。角材６は、１辺を１０〜４０ｍｍとする角材である。蝶番４を介してドア３を連結しているドア枠２に使用する梱包材１は、図８と図９に示すように、角材６をドア枠２の厚さよりも薄くして、角材６が蝶番４に衝突するのを防止する。また、図９において、蝶番４が上に積層するドア枠２に当接しないように、角材６の幅を広くする。角材６の長さは、板材５と同じであるが、板材５よりも短くすることもできる。
【００３１】
板材５の第１側縁５Ａに沿って角材６を固定して、板材５の第１側縁５Ａと角材６のひとつの面とで積層面７を構成している。積層面７には、上に積層する梱包材１の第２側縁５Ｂを嵌入する切欠部７Ａを設けている。板材５の第１側縁５Ａと角材６のひとつの面が同一面の積層面７となるように、板材５と角材６は固定される。その後、積層面７の一部を削り取って、切欠部７Ａを設ける。切欠部７Ａは、板材５の第１側縁５Ａの積層面７が角材６の表面よりも低くなる形状に加工される。ただし、切欠部は、板材の第２側縁を簡単に嵌入できるように、角材の一部をも削り取って第２側縁の厚さよりもわずかに幅を広くしている。切欠部７Ａは、積層する板材５の第２側縁５Ｂを嵌入するので、板材５の第１側縁５Ａを低くするように設けられる。
【００３２】
この構造の梱包材１は、図６ないし図９に示すように、ドア枠２の両側、すなわち縦枠の外周面に脱着できるように固定される。図のドア枠２には、縦枠に２個の梱包材１を固定している。梱包材１は、角材６を上方に位置する姿勢でドア枠２に固定している。梱包材１は、角材６をドア枠２の上面に当接させる状態で、ネジ止して脱着できるように固定される。止ネジ８は木ネジで、板材５を貫通してドア枠２の外周面にねじ込まれて、梱包材１をドア枠２に固定する。梱包材１は、角材６とドア枠２との間に隙間ができるように固定することもできる。また角材６とドア枠２との間に緩衝材（図示せず）を挟着して固定することもできる。これ等の図は、角材６が上方に位置するように梱包材１をドア枠２に固定する状態を示している。ただし、図とは上下を反対にして、角材６が下方に位置するように梱包材１をドア枠２に固定することもできる。
【００３３】
梱包材１の固定された複数のドア枠２は、図９の断面図に示すように、上に積層されるドア枠２に固定している梱包材１の第２側縁５Ｂを、下のドア枠２に固定している梱包材１の切欠部７Ａに嵌入して次々と上段に積層される。この状態で積層されるドア枠２は、板材５の第２側縁５Ｂが切欠部７Ａに嵌入されて、横ずれが防止される。図示しないが、横枠の外周面にも梱包材を固定してドア枠を積層すると、縦ずれと横ずれの両方を防止して積層できる。積層されたドア枠２は、トラックの荷台に載せて工場から現場に輸送される。トラックに搭載された状態では、荷崩れしないように、荷台に結束され、あるいはカバーで覆われる。したがって、横ずれしないように積層されたドア枠２を、荷崩れしないで現場に輸送できる。
【００３４】
図１０ないし図１２は、以上の梱包材とは異なる構造の梱包材１を使用して、ドア枠２を積層して梱包する状態を示す。図１０と図１１は、ドア枠２の片側に２個、両側で４個の梱包材１を固定している。梱包材１は、互いに積層されて、これを固定しているドア枠２を損傷しないように積層する。
【００３５】
図の梱包材１は、縦方向に延びる凸条９を中央部分に設けているドア枠２の外周面に脱着できるように固定されて、一方の側縁を第１側縁５Ａ、他方の側縁を第２側縁５Ｂとしている板材５と、この板材５の表面であって第１側縁５Ａと第２側縁５Ｂに沿って固定されて、外周面の凸条９の両側に配設される第１角材６Ａ及び第２角材６Ｂを備える。第１角材６Ａは第１側縁５Ａに、第２角材６Ｂは第２側縁５Ｂに沿って板材５に固定される。
【００３６】
板材５と角材６は、図６ないし図９に示す前述の梱包材と同じように、ドアやドア枠を製造する工場で発生する廃材を有効利用して製作できる。板材５は、図１２に示すように、ドア枠２の外周面に設けている凸条９の横幅よりも幅広である。この板材５は、第１側縁５Ａと第２側縁５Ｂをドア枠２の外周面の凸条９の両側に突出するようにして、脱着できるように外周面の凸条９に固定される。第１側縁５Ａと第２側縁５Ｂを外周面の凸条９の両側に突出させるのは、凸条９の両側に角材６を固定するためである。図の板材５は、その両側に角材６をしっかりと固定するために、ドア枠２の外周面よりも幅広としている。板材５の長さは、１００〜２０００ｍｍである。長さを１００〜３００ｍｍとする短い板材５の梱包材１は、図１０と図１１に示すように、ドア枠２の片側に複数セットされる。長さを１０００ｍｍ以上とする長い板材の梱包材は、図示しないが、ドア枠の片側に１個をセットして、ドア枠を積層できる。板材５は、厚さを８〜２５ｍｍとする合板が最適である。
【００３７】
第１角材６Ａと第２角材６Ｂは、図１２の断面図に示すように、積層されるドア枠２の凸条９の両側に位置するように板材５の表面に固定される。いいかえると、第１角材６Ａと第２角材６Ｂの間に、ドア枠２の外周面の凸条９を入れる状態で、梱包材１はドア枠２の外周面に固定される。凸条９の両側に位置する第１角材６Ａと第２角材６Ｂは、ドア枠２を積層する状態で互いに積層されて、積層するドア枠２やドア３が接触するのを防止する太さを有する。第１角材６Ａと第２角材６Ｂは、図１２に示すようにドア枠２を積層する状態で、積層面７が互いに位置ずれしない嵌合構造で積層される。
【００３８】
梱包材１は、板材５の両側部に第１角材６Ａと第２角材６Ｂを固定して、板材５の第１側縁５Ａと第１角材６Ａのひとつの面とで積層面７を構成し、また、第２側縁５Ｂと第２角材６Ｂとで積層面７を構成する。ただし、図示しないが、積層面は、角材のみで構成することもできる。第１角材６Ａと第２角材６Ｂの外側面に設けられる積層面７は、互いに積層される状態で、位置ずれしない嵌合構造に形成される。図１２の梱包材１の嵌合構造は、外側と内側とで段差のある形状としている。積層面７の嵌合構造は、図１３ないし図１５とすることもできる。図１３と図１４の嵌合構造は、一方の積層面７に縦に延長する凸部１０を設け、他方の積層面７には凸部１０を嵌合できる溝１１を設けている。図１５の嵌合構造は、一方の積層面７では板材５を角材６よりも突出させ、他方の積層面７では板材５よりも角材６を突出させている。この構造は、板材５を簡単に嵌合するために、板材５から突出する角材６の一部を切除している。
【００３９】
角材６は、ネジ止して板材５に固定され、あるいは接着して板材５に固定される。角材６は、１辺を１０〜４０ｍｍとする角材である。蝶番４を介してドア３を連結しているドア枠２は、図１２の断面図に示すように、蝶番４がドア枠２の表面から突出するものがある。このドア枠２は、積層される状態で、蝶番４が上に積層するドア枠２に接触しないように、第１角材６Ａと第２角材６Ｂの幅を広くする。角材６の長さは板材５と同じであるが、板材５よりも短くすることもできる。
【００４０】
この構造の梱包材１は、図１０ないし図１３に示すように、ドア枠２の両側、すなわち縦枠の外周面に脱着できるように固定される。図のドア枠２には、縦枠に２個の梱包材１を固定している。梱包材１は、第１角材６Ａと第２角材６Ｂをドア枠２の外周面の凸条９の両側に配設する状態、いいかえると第１角材６Ａと第２角材６Ｂとで凸条９を挟む状態で、凸条９にネジ止して脱着できるように固定している。止ネジ８は木ネジで、板材５を貫通してドア枠２の凸条９にねじ込まれて、梱包材１をドア枠２に固定する。梱包材１は、第１角材６Ａと第２角材６Ｂの一方を凸条９の片方の面に接触させて、他方を凸条９との間に多少の隙間ができるように固定することもできる。
【００４１】
さらに、図１０ないし図１３に示す梱包構造は、ドア枠２とドア３をプラスチックシート１２で梱包している。プラスチックシート１２は、例えば、１枚のシート材で、ドア枠２とドア３とを上側から包む状態で梱包することができる。このようにプラスチックシート１２で梱包されるドア枠２とドア３は、移送中に水が浸入したり、ほこりが付着するのを防止できる。梱包材１は、図に示すように、ドア枠２とドア３をプラスチックシート１２で梱包した後、ドア枠２に固定される。
【００４２】
梱包材１の固定された複数のドア枠２は、図１２の断面図に示すように、上に積層されるドア枠２に固定している梱包材１の積層面７を、下のドア枠２に固定している梱包材１の積層面７に嵌合させる状態で、次々と上段に積層される。この状態で積層されるドア枠２は、第１角材６Ａと第２角材６Ｂの積層面７が互いに嵌合されて、横ずれが防止される。図示しないが、横枠の外周面にも梱包材を固定してドア枠を積層すると、縦ずれと横ずれの両方を防止して積層できる。積層されたドア枠２は、図６ないし図９に示す前述の梱包材１と同じように、トラックの荷台に載せて工場から現場に輸送される。トラックに搭載された状態では、荷崩れしないように、荷台に結束され、あるいはカバーで覆われる。したがって、横ずれしないように積層されたドア枠２を、荷崩れしないで現場に輸送できる。
【図面の簡単な説明】
【００４３】
【図１】従来の梱包構造の一例を示す分解斜視図である。
【図２】図１に示す梱包材をドア枠に固定した状態を示す斜視図である。
【図３】従来の他の梱包構造を示す断面図である。
【図４】従来の他の梱包構造に使用する梱包材を示す斜視図である。
【図５】図４に示す梱包材を使用する梱包構造を示す断面図である。
【図６】本発明の一実施例にかかる梱包構造を示す分解斜視図である。
【図７】図６に示す梱包材をドア枠に固定した状態を示す斜視図である。
【図８】図７に示す梱包構造を示す断面図である。
【図９】図８に示す梱包構造でドア枠を積層する状態を示す断面図である。
【図１０】本発明の他の実施例にかかる梱包構造を示す分解斜視図である。
【図１１】図１０に示す梱包材をドア枠に固定した状態を示す斜視図である。
【図１２】図１１に示す梱包構造でドア枠を積層する状態を示す断面図である。
【図１３】梱包材の積層面の他の一例を示す断面図である
【図１４】梱包材の積層面の他の一例を示す断面図である
【図１５】梱包材の積層面の他の一例を示す断面図である
【符号の説明】
【００４４】
１…梱包材
２…ドア枠
３…ドア
４…蝶番
５…板材                ５Ａ…第１側縁          ５Ｂ…第２側縁
６…角材                ６Ａ…第１角材          ６Ｂ…第２角材
７…積層面              ７Ａ…切欠部
８…止ネジ
９…凸条
１０…凸部
１１…溝
１２…プラスチックシート
２１…段ボール
２２…発泡スチロール
２３…ダイバンド
２４…下地枠
２５…スペーサー
２６…支持用基部
２７…腕部
２８…脱落防止用爪部
３０…スペーサー
３１…上突出部
３２…下突出部
３３…連結部
３４…ヒンジ部
３５…係合部
【図１】
2005059884.tif 000003
【図２】
2005059884.tif 000004
【図３】
2005059884.tif 000005
【図４】
2005059884.tif 000006
【図５】
2005059884.tif 000007
【図６】
2005059884.tif 000008
【図７】
2005059884.tif 000009
【図８】
2005059884.tif 000010
【図９】
2005059884.tif 000011
【図１０】
2005059884.tif 000012
【図１１】
2005059884.tif 000013
【図１２】
2005059884.tif 000014
【図１３】
2005059884.tif 000015
【図１４】
2005059884.tif 000016
【図１５】
2005059884.tif 000017